(57)【要約】【課題】個別具体的な生産品である紙媒体における環境負荷の削減に関する数値化した情報を、当該紙媒体における環境負荷の削減に対する評価の指標として、提供することが可能な情報提供システムを提供する。【解決手段】情報通信システム１は、予め生成されたコンテンツのデジタルデータ、すなわち、電子書籍データのダウンロードを一元的に管理する機能、コンテンツを紙媒体によって提供する際に発生する環境負荷を数値化した紙媒体環境負荷情報と、当該コンテンツを電子書籍によって提供する際に発生する環境負荷を数値化した電子媒体環境負荷情報と、を比較しつつ、当該コンテンツが電子書籍として提供された場合に環境負荷が削減された環境負荷削減量の算出する環境負荷削減量算出機能、及び、算出した環境負荷削減量を、情報取得希望者に提供する提供機能を有している。【選択図】図１
2014241046.tif 000002
【特許請求の範囲】
【請求項１】
コンテンツを提供する際の環境負荷の削減に関して数値化した情報を、環境負荷削減情報として、情報取得希望者に提供する環境情報提供システムであって、
前記コンテンツを紙媒体によって提供する際に発生する環境負荷を数値化した紙媒体環境負荷情報が予め記憶されたデータベースを管理する管理手段と、
前記コンテンツを、デジタルデータによって電子書籍として提供する提供装置を監視し、予め定められた期間における当該電子書籍のダウンロード数を取得する監視手段と、
予め定められた演算が実行されることによって取得された情報及び予め設定された情報の少なくともいずれか一方の情報であって、前記コンテンツを当該デジタルデータによって提供する際に発生する環境負荷を数値化した電子媒体環境負荷情報を取得する取得手段と、
前記取得されたダウンロード数と前記データベースに記憶された紙媒体環境負荷情報とに基づいて、前記コンテンツが前記ダウンロード数によって示された数の紙媒体として提供された場合の環境負荷量を紙媒体環境負荷量として算出する第１算出手段と、
前記取得されたダウンロード数と前記取得された電子媒体環境負荷情報に基づいて、前記コンテンツが前記電子書籍として提供された場合の環境負荷量を電子媒体環境負荷量として算出する第２算出手段と、
前記算出された紙媒体環境負荷量と前記算出された電子媒体環境負荷量の差分を削減量として算出する削減量算出手段と、
前記算出された削減量に関する情報を前記環境負荷削減情報として前記情報取得希望者に提供する提供手段と、
を備えることを特徴とする環境情報提供システム。
【請求項２】
請求項１に記載の環境情報提供システムであって、
前記予め定められた演算が、前記コンテンツをデジタルデータ化する際に得られたデータ化情報、前記コンテンツの特性、及び、前記取得されたダウンロード数の少なくともいずれか一方の演算要素を用いて実行される、環境情報提供システム。
【請求項３】
請求項２に記載の環境情報提供システムであって、
前記データ化情報には、前記デジタルデータ化されたコンテンツのデータ量が含まれる、環境情報提供システム。
【請求項４】
請求項２又は３に記載の環境情報提供システムであって、
前記コンテンツの特性には、前記コンテンツの文字数及び使用言語の少なくともいずれか一方の特性が含まれる、環境情報提供システム。
【請求項５】
請求項１〜４のいずれか１項に記載の環境情報提供システムであって、
前記データベースには、複数の種類の前記コンテンツにおける前記紙媒体環境負荷情報が記憶され、
前記監視手段、前記取得手段、前記第１算出手段、前記第２算出手段及び前記削減量算出手段が、前記コンテンツの種別毎にそれぞれの処理を実行する、環境情報提供システム。
【請求項６】
請求項１〜５のいずれか１項に記載の環境情報提供システムであって、
前記取得手段が、前記予め定められた演算を自ら実行することによって、又は、前記予め定められた演算を実行した外部の手段から取得することによって、前記電子媒体環境負荷情報を取得する、環境情報提供システム。
【請求項７】
コンテンツを提供する際の環境負荷の削減に関して数値化した情報を、環境負荷削減情報として、情報取得希望者に提供する環境情報提供システムに用いるプログラムであって、
前記環境情報提供システムを、
前記コンテンツを紙媒体によって提供する際に発生する環境負荷を数値化した紙媒体環境負荷情報が予め記憶されたデータベースを管理する管理手段、
前記コンテンツを、デジタルデータによって電子書籍として提供する提供装置を監視し、予め定められた期間における当該電子書籍のダウンロード数を取得する監視手段、
予め定められた演算が実行されることによって取得された情報及び予め設定された情報の少なくともいずれか一方の情報であって、前記コンテンツを当該デジタルデータによって提供する際に発生する環境負荷を数値化した電子媒体環境負荷情報を取得する取得手段、
前記取得されたダウンロード数と前記データベースに記憶された紙媒体環境負荷情報とに基づいて、前記コンテンツが前記ダウンロード数によって示された数の紙媒体として提供された場合の環境負荷量を紙媒体環境負荷量として算出する第１算出手段、
前記取得されたダウンロード数と前記取得された電子媒体環境負荷情報に基づいて、前記コンテンツが前記電子書籍として提供された場合の環境負荷量を電子媒体環境負荷量として算出する第２算出手段、
前記算出された紙媒体環境負荷量と前記算出された電子媒体環境負荷量の差分を削減量として算出する削減量算出手段、及び
前記算出された削減量に関する情報を前記環境負荷削減情報として前記情報取得希望者に提供する提供手段、
として機能させることを特徴とする環境情報提供システム。
【請求項８】
環境情報提供システムによって、コンテンツを提供する際の環境負荷の削減に関して数値化した情報を、環境負荷削減情報として、情報取得希望者に提供する環境情報提供方法であって、
前記コンテンツを紙媒体によって提供する際に発生する環境負荷を数値化した紙媒体環境負荷情報が予め記憶されたデータベースを管理する管理工程と、
前記コンテンツを、デジタルデータによって電子書籍として提供する提供装置を監視し、予め定められた期間における当該電子書籍のダウンロード数を取得する監視工程と、
予め定められた演算が実行されることによって取得された情報及び予め設定された情報の少なくともいずれか一方の情報であって、前記コンテンツを当該デジタルデータによって提供する際に発生する環境負荷を数値化した電子媒体環境負荷情報を取得する取得工程と、
前記取得されたダウンロード数と前記データベースに記憶された紙媒体環境負荷情報とに基づいて、前記コンテンツが前記ダウンロード数によって示された数の紙媒体として提供された場合の環境負荷量を紙媒体環境負荷量として算出する第１算出工程と、
前記取得されたダウンロード数と前記取得された電子媒体環境負荷情報に基づいて、前記コンテンツが前記電子書籍として提供された場合の環境負荷量を電子媒体環境負荷量として算出する第２算出工程と、
前記算出された紙媒体環境負荷量と前記算出された電子媒体環境負荷量の差分を削減量として算出する削減量算出工程と、
前記算出された削減量に関する情報を前記環境負荷削減情報として前記情報取得希望者に提供する提供工程と、
を含むことを特徴とする環境情報提供方法。
【発明の詳細な説明】
【技術分野】
【０００１】
本発明は、ユーザに対して環境情報を提供する環境情報提供システム、プログラム及び環境情報提供方法に関する。
【背景技術】
【０００２】
近年、地球温暖化等の地球規模の環境保全が求められており、ＣＯ２（二酸化炭素）をはじめとする温室効果ガスの排出を抑制することが必要となってきている。特に、気候変動枠組条約（京都議定書）等の各国において温室効果ガスの排出量を大幅に削減しなければならない地球温暖化防止に関する国際的な枠組みも形成され、環境保全に対しては世界規模での対応が求められている。
【０００３】
その一方で、温室効果ガス等の環境に影響を与える原因及びその量（温室効果ガスの場合には、排出量）は、逆に年々増加傾向にあるとともに、国によっては、当該原因やその量を抑制するためのコストが他国に比べて高いと見込まれている国もある。
【０００４】
このような状況下において、環境に影響を与える原因として、ＣＯ２などの温室効果ガスの排出量を算出するシステムが要求されており、その一例として、企業及び団体等の利用者のデータ収集又は入力作業を軽減できるとともに、利用者の環境負荷軽減活動を効率的に推進させることが可能な環境情報管理システムが提案されている（例えば、特許文献１）。
【先行技術文献】
【特許文献】
【０００５】
【特許文献１】特開２０１１−０５３９０６号公報
【発明の概要】
【発明が解決しようとする課題】
【０００６】
しかしながら、上記特許文献１に開示されたシステムにおいては、利用者の環境負荷軽減を効率的に行うために、ガスや電気などのエネルギーを生み出す直接的なエネルギー源の使用量に対する環境負荷を数値化（すなわち、温室効果ガス等の排出量を算出）するシステムであり、例えば、紙媒体の消費など具体的な生産品に対する環境負荷を数値化することはできず、生産品の個別具体的な環境負荷に関する情報の提供、及び、それに伴う環境負荷の削減に対する評価を行うことは難しい。
【０００７】
本発明は、上記課題を解決するためになされたものであり、その目的は、個別具体的な生産品である紙媒体における環境負荷の削減に関する数値化した情報を、当該紙媒体における環境負荷の削減に対する評価の指標として、提供することが可能な情報提供システム等を提供することにある。
【課題を解決するための手段】
【０００８】
（１）上述した課題を解決するため、本発明に係る環境情報提供システムは、コンテンツを提供する際の環境負荷の削減に関して数値化した情報を、環境負荷削減情報として、情報取得希望者に提供する環境情報提供システムであって、前記コンテンツを紙媒体によって提供する際に発生する環境負荷を数値化した紙媒体環境負荷情報が予め記憶されたデータベースを管理する管理手段と、前記コンテンツを、デジタルデータによって電子書籍として提供する提供装置を監視し、予め定められた期間における当該電子書籍のダウンロード数を取得する監視手段と、予め定められた演算が実行されることによって取得された情報及び予め設定された情報の少なくともいずれか一方の情報であって、前記コンテンツを当該デジタルデータによって提供する際に発生する環境負荷を数値化した電子媒体環境負荷情報を取得する取得手段と、前記取得されたダウンロード数と前記データベースに記憶された紙媒体環境負荷情報とに基づいて、前記コンテンツが前記ダウンロード数によって示された数の紙媒体として提供された場合の環境負荷量を紙媒体環境負荷量として算出する第１算出手段と、前記取得されたダウンロード数と前記取得された電子媒体環境負荷情報に基づいて、前記コンテンツが前記電子書籍として提供された場合の環境負荷量を電子媒体環境負荷量として算出する第２算出手段と、前記算出された紙媒体環境負荷量と前記算出された電子媒体環境負荷量の差分を削減量として算出する削減量算出手段と、前記算出された削減量に関する情報を前記環境負荷削減情報として前記情報取得希望者に提供する提供手段と、を備えることを特徴とする環境情報提供システム。
構成を有している。
【０００９】
（２）また、上述した課題を解決するため、本発明に係るプログラムは、コンテンツを提供する際の環境負荷の削減に関して数値化した情報を、環境負荷削減情報として、情報取得希望者に提供する環境情報提供システムに用いるプログラムであって、前記環境情報提供システムを、前記コンテンツを紙媒体によって提供する際に発生する環境負荷を数値化した紙媒体環境負荷情報が予め記憶されたデータベースを管理する管理手段、前記コンテンツを、デジタルデータによって電子書籍として提供する提供装置を監視し、予め定められた期間における当該電子書籍のダウンロード数を取得する監視手段、予め定められた演算が実行されることによって取得された情報及び予め設定された情報の少なくともいずれか一方の情報であって、前記コンテンツを当該デジタルデータによって提供する際に発生する環境負荷を数値化した電子媒体環境負荷情報を取得する取得手段、前記取得されたダウンロード数と前記データベースに記憶された紙媒体環境負荷情報とに基づいて、前記コンテンツが前記ダウンロード数によって示された数の紙媒体として提供された場合の環境負荷量を紙媒体環境負荷量として算出する第１算出手段、前記取得されたダウンロード数と前記取得された電子媒体環境負荷情報に基づいて、前記コンテンツが前記電子書籍として提供された場合の環境負荷量を電子媒体環境負荷量として算出する第２算出手段、前記算出された紙媒体環境負荷量と前記算出された電子媒体環境負荷量の差分を削減量として算出する削減量算出手段、及び、前記算出された削減量に関する情報を前記環境負荷削減情報として前記情報取得希望者に提供する提供手段、として機能させる構成を有している。
【００１０】
（３）また、上述した課題を解決するため、本発明に係る環境情報提供方法は、環境情報提供システムによって、コンテンツを提供する際の環境負荷の削減に関して数値化した情報を、環境負荷削減情報として、情報取得希望者に提供する環境情報提供方法であって、前記コンテンツを紙媒体によって提供する際に発生する環境負荷を数値化した紙媒体環境負荷情報が予め記憶されたデータベースを管理する管理工程と、前記コンテンツを、デジタルデータによって電子書籍として提供する提供装置を監視し、予め定められた期間における当該電子書籍のダウンロード数を取得する監視工程と、予め定められた演算が実行されることによって取得された情報及び予め設定された情報の少なくともいずれか一方の情報であって、前記コンテンツを当該デジタルデータによって提供する際に発生する環境負荷を数値化した電子媒体環境負荷情報を取得する取得工程と、前記取得されたダウンロード数と前記データベースに記憶された紙媒体環境負荷情報とに基づいて、前記コンテンツが前記ダウンロード数によって示された数の紙媒体として提供された場合の環境負荷量を紙媒体環境負荷量として算出する第１算出工程と、前記取得されたダウンロード数と前記取得された電子媒体環境負荷情報に基づいて、前記コンテンツが前記電子書籍として提供された場合の環境負荷量を電子媒体環境負荷量として算出する第２算出工程と、前記算出された紙媒体環境負荷量と前記算出された電子媒体環境負荷量の差分を削減量として算出する削減量算出工程と、前記算出された削減量に関する情報を前記環境負荷削減情報として前記情報取得希望者に提供する提供工程と、を含む構成を有している。
【発明の効果】
【００１１】
本発明に係る環境情報提供システム、プログラム及び環境情報提供方法は、コンテンツが紙媒体で提供された場合に換算された環境負荷又は過去の実績における環境負荷と同一のコンテンツがデジタルデータによって電子書籍として提供された場合の環境負荷の各状況における環境負荷量を算出しつつ、その差分を算出することができるので、ＣＯ２に代表される温室効果ガスの排出量の削減など、個別具体的な生産品である紙媒体における環境負荷の削減に関する数値化した情報を、当該紙媒体における環境負荷の削減に対する評価の指標として、提供することができる。
【図面の簡単な説明】
【００１２】
【図１】本発明の一実施形態における情報提供システムの構成を示すシステム構成図である。
【図２】一実施形態における環境情報提供用サーバ装置の構成を示すブロック図である。
【図３】一実施形態における情報通信システムにおいて実行されるダウンロード管理処理を含む環境負荷削減算出提供処理の動作を示すフローチャート（その１）である。
【図４】一実施形態における情報通信システムにおいて実行されるダウンロード管理処理を含む環境負荷削減算出提供処理の動作を示すフローチャート（その２）である。
【発明を実施するための形態】
【００１３】
以下、図面を参照しつつ、本発明の実施形態について説明する。なお、以下の実施形態は、電子書籍等のコンテンツのダウンロード及び閲覧を行う通信端末装置と、コンテンツのダウンロードその他を管理するサーバ装置（以下、「コンテンツ管理用サーバ装置」という。）と、コンテンツ管理用サーバ装置と連動して環境情報を提供するサーバ装置（以下、「環境情報提供用サーバ装置」という。）と、から構成される情報通信システムに対して、本発明に係る情報提供システム、プログラム及び情報提供方法を適用した場合の実施形態である。
【００１４】
［１］情報通信システム
まず、図１を用いて本実施形態における情報通信システム１の構成及び概要について説明する。なお、図１は、本実施形態の情報通信システム１の構成を示すシステム構成図である。また、図１においては、図が煩雑になることを防止するため、一部の通信端末装置１０及び一部のユーザ（ユーザＡ、Ｂ及びＣ）のみを示している。すなわち、実際の情報通信システム１においては、表示するよりも多くの通信端末装置１０及びユーザが存在している。
【００１５】
本実施形態の情報通信システム１は、雑誌、新聞、書籍、カタログ、チラシなどのコンテンツをデジタルデータ（以下、これらをまとめて「電子書籍」ともいう。）として提供するシステムであるとともに、コンテンツを紙媒体でなく、デジタルデータによって電子媒体による提供に基づいて生じた環境負荷の削減に対する情報（以下、「環境負荷削減情報」という。）を生成し、かつ、当該環境負荷削減情報を当該情報の取得希望者に提供するためのシステムである。なお、本実施形態においては、電子媒体とは、上記の電子書籍を提供するための媒体を示す。
【００１６】
特に、本実施形態の情報通信システム１は、
（１）予め生成されたコンテンツのデジタルデータ、すなわち、電子書籍のデータ（以下、「電子書籍データ」という。）のダウンロードを一元的に管理する機能、
（２）コンテンツを紙媒体によって提供する際に発生する環境負荷を数値化した紙媒体環境負荷情報と、当該コンテンツを電子書籍によって電子媒体を用いて提供する際に発生する環境負荷を数値化した電子媒体環境負荷情報と、を比較しつつ、当該コンテンツが電子書籍として提供された場合に環境負荷が削減された削減量（以下、「環境負荷削減量」という。）の算出する環境負荷削減量算出機能、及び、
（３）算出した環境負荷削減量を、大学や企業等のシステムを管理若しくは所有する管理者、当該システムが設置されている自治体若しくは政府、又は、企業などの関係者（すなわち、情報取得希望者）に提供する提供機能
を実現することができる構成を有している。
【００１７】
具体的には、情報通信システム１は、図１に示すように、電子書籍データのダウンロード及び電子書籍の閲覧を行う通信端末装置１０と、ネットワーク２０と通信端末装置１０の要求に従って電子書籍データを提供し、かつ、電子書籍毎のダウンロードその他の管理を行うコンテンツ管理用サーバ装置３０と、コンテンツ管理用サーバ装置３０と連動し、電子書籍データによる提供に基づいて生じた環境負荷削減情報の生成及びその提供を実行する環境情報提供用サーバ装置４０と、情報取得希望者が有する環境負荷削減情報の取得及びその閲覧を行うための管理者端末装置５０と、を有している。
【００１８】
なお、ネットワーク２０は、ＩＰ（Ｉｎｔｅｒｎｅｔ  Ｐｒｏｔｏｃｏｌ）ネットワークから構成される。ただし、ネットワーク２０は、これに限らず、携帯電話網を含む公衆電話網から構成されてもよいし、当該公衆電話網とＩＰネットワーク２０との相互接続によって構成されてもよい。
【００１９】
通信端末装置１０は、例えば、パーソナルコンピュータ、スマートフォン、携帯用電話機、タブレット型情報端末装置、又は、携帯型ゲーム機であり、ユーザによって電子書籍データをダウンロードすること、及び、当該電子書籍データに基づいて電子書籍を閲覧することが可能な端末装置である。なお、本実施形態の通信端末装置１０は、タブレット型情報端末装置等の携帯される構造を有していることは望ましいが、それは必須ではない。
【００２０】
また、通信端末装置１０は、ＸＭＬ（ｅＸｔｅｎｓｉｂｌｅ  Ｍａｒｋｕｐ  Ｌａｎｇｕａｇｅ）等のマークアップ言語によって記述されているＷＷＷシステム用のリソースデータと、当該リソースデータのネットワーク２０アドレスを示す固有のＵＲＬ（Ｕｎｉｆｏｒｍ  Ｒｅｓｏｕｒｃｅ  Ｌｏｃａｔｏｒ）とを用いつつ、コンテンツ管理用サーバ装置３０とのデータ通信を行うブラウジング機能を有している。
【００２１】
そして、通信端末装置１０は、受信したＸＭＬデータに基づいて各種情報を表示するとともに、基地局ＢＳ及びネットワーク２０を介してコンテンツ管理用サーバ装置３０と通信接続する。また、通信端末装置１０は、コンテンツ管理用サーバ装置３０とユーザ認証を行いつつ、電子書籍データをダウンロードするためのネットワークサービスの提供を受けることができるようになっており、その一つのサービスとして、ブラウジング機能を用いて、コンテンツ管理用サーバ装置３０から電子書籍データをダウンロードして取得することができるようになっている。
【００２２】
さらに、通信端末装置１０は、ＥＰＵＢ（Ｅｌｅｃｔｒｏｎｉｃ  ＰＵＢｌｉｃａｔｉｏｎ）形式又はＰＤＦ(Ｐｏｒｔａｂｌｅ  Ｄｏｃｕｍｅｎｔ  Ｆｏｒｍａｔ)形式その他の電子書籍データに基づいて電子書籍を閲覧するためのビューワー機能を有している。
【００２３】
コンテンツ管理用サーバ装置３０は、電子書籍データのダウンロードを一元的に管理する機能を実現するサーバ装置であり、電子書籍データの提供及びその管理を行うために用いられる。
【００２４】
具体的には、コンテンツ管理用サーバ装置３０は、コンテンツデータベース（以下、「コンテンツＤＢ」という。）３００を有し、管理者などの指示に基づいて複数の電子書籍のタイトル毎に各電子書籍データを管理するとともに、通信端末装置１０の指示に基づいて該当する電子書籍データを通信端末装置１０にダウンロードさせるための構成を有している。
【００２５】
特に、コンテンツ管理用サーバ装置３０は、ユーザ毎に予め発行された認証用のＩＤ（以下、「ユーザＩＤ」という。）とパスワードとによってユーザ認証を実行しつつ、コンテンツＤＢ３００から、電子書籍のタイトルと、文章や記事などのテキスト及び図や写真などの画像及び場合によって音などのコンテンツ本体と、通信端末装置１０のビューワーによってコンテンツ本体を編集者の意図どおりに表示するための表示制御プログラムと、を読み出して該当する通信端末装置１０に提供するとともに、予め定められた期間における電子書籍毎のダウンロード数を管理する構成を有している。
【００２６】
なお、通信端末装置１０によって１の電子書籍のダウンロードが要求されると、該当する電子書籍のタイトル、コンテンツ本体、及び、表示制御プログラムとが一体となって、コンテンツ管理用サーバ装置３０から通信端末装置１０に提供される。また、各電子書籍データは、ネットワーク２０を介して管理者端末装置５０の指示によって登録又は更新されるとともに、新規に登録される際に固有の電子書籍ＩＤが付与される。
【００２７】
また、コンテンツ管理用サーバ装置３０は、環境情報提供用サーバ装置４０の指示に基づいて、管理している電子書籍毎のダウンロード数を当該環境情報提供用サーバ装置４０に提供するようになっている。
【００２８】
環境情報提供用サーバ装置４０は、環境負荷削減量を算出する環境負荷削減量算出機能、及び、算出した環境負荷削減量を情報取得希望者に提供する提供機能を実現するサーバ装置である。
【００２９】
特に、環境情報提供用サーバ装置４０は、
（１）紙媒体環境負荷情報を含む各情報が予め記憶されたデータベース４３０を有するとともに当該データベース（以下、「ＤＢ」と略す。）４３０を管理し、
（２）コンテンツである書籍を、デジタルデータによって電子書籍として提供するコンテンツ管理用サーバ装置３０を監視しつつ、予め定められた期間（例えば、１年間）における電子書籍データのダウンロード数を取得し、
（３）予め定められた演算が実行されることによって取得された情報又は予め設定された情報であって、書籍などのコンテンツを電子書籍によって提供する際に発生する環境負荷を数値化した電子媒体環境負荷情報を取得し、
（４）取得したダウンロード数とデータベース４３０に記憶された紙媒体環境負荷情報とに基づいて、コンテンツがダウンロード数によって示された数の紙媒体として提供された場合の環境負荷量を算出し、
（５）取得したダウンロード数と取得した電子媒体環境負荷情報に基づいて、コンテンツが電子書籍として電子媒体によって提供された場合の環境負荷量を算出し、
（６）算出した紙媒体の環境負荷量（以下、「紙媒体環境負荷量」という。）と、算出した電子媒体によって提供される電子書籍の環境負荷量（以下、「電子媒体環境負荷量」という。）の差分を削減量として算出し、
（７）算出した削減量を環境負荷削減情報として情報取得希望者に提供する
ための構成を有している。
【００３０】
また、環境情報提供用サーバ装置４０は、電子媒体環境負荷情報を取得するための所定の演算として、
（３Ａ）コンテンツを電子書籍化（デジタルデータ化）する際に得られたデータ化情報、
（３Ｂ）コンテンツの特性、及び、
（３Ｃ）取得したダウンロード数、
の少なくともいずれか一方の演算要素を用いて実行する構成を有している。ただし、本実施形態の環境情報提供用サーバ装置４０は、（３Ａ）、（３Ｂ）及び（３Ｃ）の全ての情報を用いて電子媒体環境負荷情報を演算し、取得するようになっている。
【００３１】
また、本実施形態においては、データ化情報には、電子書籍化（デジタルデータ化）されたコンテンツのデータ量が含まれるとともに、コンテンツの特性には、電子書籍化されたコンテンツの文字数及び使用言語が含まれる。
【００３２】
なお、本実施形態においては、環境情報提供用サーバ装置４０は、コンテンツ管理用サーバ装置３０とともに電子書籍の種別毎のダウンロード数を管理し、電子書籍毎に環境負荷削減量を算出するようになっている。
【００３３】
一方、環境情報提供用サーバ装置４０は、予め設定された電子媒体環境負荷情報としては、通信端末装置１０の生産段階及び流通段階において算出された電子媒体環境負荷量を取得するようになっている。
【００３４】
管理者端末装置５０は、例えば、パーソナルコンピュータ又はワークステーション等の情報通信端末装置である。また、管理者端末装置５０は、管理者の識別情報（以下、「管理者ＩＤ」という。）及び管理者のパスワードを管理し、環境情報提供用サーバ装置４０へのアクセス権限の管理、コンテンツ管理用サーバ装置３０の管理、電子書籍化の管理、及び、登録された電子書籍化データの登録管理その他の制御及び管理を実行する装置として機能する。
【００３５】
特に、管理者端末装置５０は、紙媒体環境負荷情報の登録及びその更新と、電子書籍化された電子書籍データの登録及びその更新と、電子書籍化された際の電子書籍データのデータ量を含むデータ化情報、当該電子書籍の文字数及び使用言語を含むコンテンツの特性の登録及びその更新とを行う。ただし、本実施形態においては、電子書籍データの登録及びその更新については、電子書籍化された際に自動的に実行されてもよいし、当該電子書籍データの登録又は更新持に、データ解析を実行することによって、データ化情報及びコンテンツの特性を自動的に登録又は更新するようにしてもよい。
【００３６】
このような構成を有することによって、本実施形態の情報通信システム１は、コンテンツが紙媒体で提供された場合に換算された環境負荷、又は、その場合における過去の実績における環境負荷と同一のコンテンツがデジタルデータによって電子書籍として提供された場合の環境負荷の各状況における電子媒体環境負荷量を算出しつつ、その比較を行うことができるので、ＣＯ２に代表される温室効果ガスの排出量の削減など、個別具体的な生産品である紙媒体における環境負荷の削減に関する数値化した情報を、当該紙媒体における環境負荷の削減に対する評価の指標として、提供することができるようになっている。
【００３７】
［２］環境情報提供用サーバ装置
次に、図２を用いて本実施形態の環境情報提供用サーバ装置４０の構成について説明する。なお、図２は、本実施形態の環境情報提供用サーバ装置４０の構成を示すブロック図である。
【００３８】
本実施形態の環境情報提供用サーバ装置４０は、図２に示すように、ネットワーク２０と通信接続される通信制御部４１０と、各種のメモリとして機能するＲＯＭ／ＲＡＭ４２０と、各種のＤＢを有するデータベース４３０と、サーバ装置全体を制御するサーバ管理制御部３４０と、時刻を管理するために用いるタイマー４５０と、削減量を算出その他の処理を実行するデータ処理部４６０と、を有している。
【００３９】
なお、例えば、本実施形態のデータベース４３０は、本発明のデータベースを構成し、データ処理部４６０は、管理手段、監視手段、取得手段、第１算出手段、第２算出手段、削減量算出手段及び提供手段を構成する。また、各部は、バス４１によって互いに接続されている。
【００４０】
通信制御部４１０は、所定のネットワークインターフェースであり、サーバ管理制御部４４０及びデータ処理部４６０の制御の下、ネットワーク２０を介して、コンテンツ管理用サーバ装置３０及び管理者端末装置５０とデータの授受を行う。
【００４１】
ＲＯＭ／ＲＡＭ４２０には、環境情報提供用サーバ装置４０の駆動及びシステム全体の制御に必要な各種のプログラムが記録されている。特に、ＲＯＭ／ＲＡＭ４２０には、データ処理部４６０によって実行される管理者端末装置５０を介して指示された管理者の操作に基づく、環境負荷削減量の算出及びその提供を行う処理（以下、「環境負荷削減算出提供処理」という）、及び、通信端末装置１０からの要求に基づいて、コンテンツ管理用サーバ装置３０と連動しつつ、電子書籍データのダウンロードを実行させる処理（以下、「ダウンロード管理処理」という。）を実行するためのアプリケーションが記憶される。また、ＲＯＭ／ＲＡＭ４２０は、各プログラムの実行中にワークエリアとして用いられる。
【００４２】
データベース４３０は、ＨＤＤにより構成され、電子書籍データが記憶されるコンテンツ特性データベース（以下、「コンテンツ特性ＤＢ」という。）４３１、紙媒体に関する情報が記憶される紙媒体情報データベース（以下、「紙媒体情報ＤＢ」という。）４３２、及び、電子書籍データのダウンロード数その他の管理に関する情報が記憶されるコンテンツ管理データベース（以下、「コンテンツ管理ＤＢ」という。）４３３を有する。
【００４３】
コンテンツ特性ＤＢ４３１は、電子書籍毎の特性など、電子書籍データが通信端末装置１０においてダウンロード及び閲覧される際に生じる環境負荷に関する情報が電子書籍のタイトル毎に記憶されたデータベースである。例えば、本実施形態のコンテンツ特性ＤＢ４３１には、環境負荷に関する情報として、各電子書籍に付与された電子書籍ＩＤに対応付けて、電子書籍ＩＤ毎に、電子書籍化されたコンテンツのデータ量、文字数、及び、使用言語が記憶されている。
【００４４】
紙媒体情報ＤＢ４３２は、コンテンツを紙媒体によって提供する際に発生する環境負荷を数値化した紙媒体環境負荷情報が予め記憶されたデータベースである。例えば、本実施形態の紙媒体情報ＤＢ４３２には、電子書籍として提供されるコンテンツについて電子書籍ＩＤに対応付けて紙媒体環境負荷情報が記憶される。
【００４５】
なお、各電子書籍ＩＤに対応付けて記憶される紙媒体環境負荷情報としては、紙媒体の原材料となる紙（用紙）の生成段階（調達段階を含む。）におけるＣＯ２などの温室効果ガスの排出量（例えば、排出係数「ｋｇ−ＣＯ２／ｋｇ」）、及び、雑誌、書籍又は新聞等の紙媒体の生産段階における温室効果ガスの排出量（例えば、排出係数「ｋｇ−ＣＯ２／ｋｇ」）の情報が含まれるとともに、紙媒体環境負荷情報は、所定の政府機関又は調査機関によって提供される情報である。
【００４６】
また、電子書籍ＩＤに対応付けて記憶される紙媒体環境負荷情報は、電子書籍の登録時に管理者端末装置５０によって登録されるとともに、所定のタイミング（例えば毎年の所定の時期）に新しく試算された数値に更新される。
【００４７】
コンテンツ管理ＤＢ４３３は、電子書籍データのダウンロードを管理するための情報（以下、「ダウンロード管理情報」という。）、及び、コンテンツを電子書籍によって提供する際に発生する環境負荷を数値化した電子媒体環境負荷情報が予め記憶されたデータベースである。
【００４８】
例えば、コンテンツ管理ＤＢ４３３には、ダウンロード管理情報として、ダウンロードされた電子書籍ＩＤ、ダウンロードを実行したユーザのユーザＩＤ及びダウンロードした時刻（日付けも含む。）から構成されるダウンロード履歴情報と、各電子書籍ＩＤに対応付けられたダウンロード数の情報（以下、「ダウンロード数情報」という。）が記憶される。
【００４９】
また、コンテンツ管理ＤＢ４３３には、コンテンツを電子書籍によって提供する際に発生する予め設定された環境負荷を数値化した電子媒体環境負荷情報も記憶される。具体的には、コンテンツ管理ＤＢ４３３には、通信端末装置１０の生産段階及び流通段階において実際に算出された環境負荷量（例えば、排出係数「ｋｇ−ＣＯ２／ｋｇ」）も記憶される。
【００５０】
サーバ管理制御部４４０は、主に中央演算処理装置（ＣＰＵ）によって構成されるとともに、データベース４３０の管理及び制御を含め、プログラムを実行することによって、環境情報提供用サーバ装置４０の各部の統合制御を行う。
【００５１】
タイマー４５０は、現在日時を特定するために用いられ、環境負荷削減算出提供処理の実行開始タイミングを判定する際に、及び、ダウンロード履歴を更新する際に用いられる。
【００５２】
データ処理部４６０は、ＲＯＭ／ＲＡＭ４２０に記憶されたアプリケーションを実行することによって、環境負荷削減算出提供処理及びダウンロード管理処理を含む各種の処理を実現する。
【００５３】
特に、データ処理部４６０は、各処理を実現するため、機能別にＤＢ管理部４６１と、紙媒体環境負荷情報及び電子媒体環境負荷情報を算出する環境負荷算出部４６２と、削減量を算出する削減量算出部４６３と、管理者端末装置５０の要求に基づいて算出した削減量に関する情報を環境負荷削減情報として提供する情報提供部４６４と、を少なくとも含む。
【００５４】
例えば、本実施形態のＤＢ管理部４６１は、本発明の管理手段及び監視手段を構成し、環境負荷算出部４６２は、本発明の取得手段、第１算出手段及び第２算出手段を構成する。また、例えば、本実施形態の削減量算出部４６３は、本発明の削減量算出手段を構成し、情報提供部４６４は、本発明の提供手段を構成する。
【００５５】
なお、本実施形態におけるデータ処理部４６０の各部の詳細については、後述する。
【００５６】
［３］データ処理部
次に、データ処理部４６０の各部の詳細について説明する。
【００５７】
ＤＢ管理部４６１は、コンテンツ特性ＤＢ４３１、紙媒体情報ＤＢ４３２及びコンテンツ管理ＤＢ４３３の各データベースの管理を行う。
【００５８】
具体的には、ＤＢ管理部４６１は、管理者端末装置５０その他の指示に基づいて、コンテンツ管理用サーバ装置３０のコンテンツＤＢ３００に、電子書籍ＩＤに基づいて電子書籍データの登録及び更新を実行する。そして、ＤＢ管理部４６１は、コンテンツ管理用サーバ装置３０と連動し、通信端末装置１０の要求に基づいて該当する電子書籍データ、すなわち、該当する電子書籍のタイトル、コンテンツ本体、及び、表示制御プログラムを一体的にダウンロードさせるための制御を監視する。
【００５９】
なお、ＤＢ管理部４６１は、コンテンツ管理用サーバ装置３０において電子書籍データがダウンロードされた際に、当該コンテンツ管理用サーバ装置３０と連動して、コンテンツ管理ＤＢ４３３におけるダウンロード履歴情報及びダウンロード数情報を更新する。例えば、ＤＢ管理部４６１は、１の電子書籍データがダウンロードされた場合には、ダウンロードされた電子書籍ＩＤ、ダウンロードを実行したユーザのユーザＩＤ及びダウンロードした時刻（日付けも含む。）を、ダウンロード履歴情報としてコンテンツ管理ＤＢ４３３に登録し、当該電子書籍ＩＤに対応付けられたダウンロード数情報のダウンロード数を更新する。ただし、ＤＢ管理部４６１は、電子書籍データがダウンロードされる毎にダウンロード履歴情報及びダウンロード数を更新せずに、毎日、毎週又は毎月の所定の時刻等の一定のタイミング毎に全ての電子書籍に対して一斉に更新を行ってもよい。
【００６０】
また、ＤＢ管理部４６１は、紙媒体情報ＤＢ４３２を管理し、管理者端末装置５０の指示に基づいて、各電子書籍ＩＤに対応付けて、紙媒体の原材料となる紙（用紙）の生成段階（調達段階を含む。）におけるＣＯ２などの温室効果ガスの排出量、及び、雑誌、書籍又は新聞等の紙媒体の生産段階における温室効果ガスの排出量から構成される紙媒体環境負荷情報の登録又はその更新を行う。そして、ＤＢ管理部４６１は、所定のタイミング（例えば、毎年一定の日時）に、紙媒体情報ＤＢ４３２に記憶された各電子書籍ＩＤに対応付けられた数値を、新しく試算された数値に更新する。
【００６１】
環境負荷算出部４６２は、毎年１月１日など予め設定されたタイミング毎に、環境負荷削減算出提供処理の一部として、各コンテンツを紙媒体によって提供する際に発生する紙媒体環境負荷量と、電子書籍によって提供する際に発生する電子媒体環境負荷量と、を算出し、算出した結果を削減量算出部４６３に出力する。
【００６２】
具体的には、環境負荷算出部４６２は、コンテンツ管理ＤＢ４３３から各電子書籍のダウンロード数情報を電子書籍ＩＤとともに取得するとともに、紙媒体情報ＤＢ４３２から電子書籍ＩＤ毎の数値化された紙媒体環境負荷情報を取得する。そして、環境負荷算出部４６２は、電子書籍ＩＤ毎に、紙媒体環境負荷情報に含まれる数値化された値に、ダウンロード数情報によって示されるダウンロード数を乗算し、各コンテンツを紙媒体によって提供する際に発生する紙媒体環境負荷量を算出する。
【００６３】
例えば、環境負荷算出部４６２は、紙媒体環境負荷情報としては、上述のように、各電子書籍ＩＤに対応付けて記憶されている、紙媒体の原材料となる紙（用紙）の生成段階（調達段階を含む。）におけるＣＯ２などの温室効果ガスの排出量、及び、雑誌、書籍又は新聞等の紙媒体の生産段階における温室効果ガスの排出量の情報を取得する。そして、環境負荷算出部４６２は、各電子書籍のタイトルの温室効果ガスの排出量にダウンロード数を乗算し、各コンテンツを紙媒体によって提供する際に発生する紙媒体環境負荷量をそれぞれ算出する。
【００６４】
また、環境負荷算出部４６２は、コンテンツ管理ＤＢ４３３から電子書籍毎の各電子媒体環境負荷情報、及び、各電子書籍の演算要素を取得するとともに、電子書籍毎の電子媒体環境負荷情報、すなわち、各通信端末装置１０の生産段階におけるＣＯ２などの温室効果ガスの排出量を算出する。
【００６５】
特に、環境負荷算出部４６２は、通信端末装置１０を生産する際の原材料の調達段階、組み立てその他の生産段階、当該通信端末装置１０の流通段階及び使用段階を含むとともに、電子書籍化された電子書籍データのデータコンバージョンプロセスなどのデータの生産段階、電子書籍データの閲覧システムに関するシステム開発及び運用や保守その他のデータの流通段階、並びに、通信端末装置１０におけるデータのダウンロード及びデータが表示される際の使用段階を含む各段階のＣＯ２などの温室効果ガスの排出量を算出する。
【００６６】
具体的には、環境負荷算出部４６２は、コンテンツ管理ＤＢ４３３から、電子書籍毎の各電子媒体環境負荷情報として、通信端末装置１０の生産その他に関する環境負荷情報及び電子書籍データの生産その他に関する環境負荷情報を取得するとともに、電子書籍化されたコンテンツ（電子書籍データ）のデータ量であるデータ化情報と、コンテンツの文字数及び使用言語を含むコンテンツの特性と、を取得する。
【００６７】
そして、環境負荷算出部４６２は、取得した各環境負荷情報と、電子書籍毎のコンテンツ管理ＤＢ４３３から取得した各電子書籍のダウンロード数情報によって示されるダウンロード数、データ化情報及びコンテンツ特性に基づいて、コンテンツが電子書籍として提供された場合の電子媒体環境負荷量を算出する。
【００６８】
例えば、環境負荷算出部４６２は、電子書籍毎に、１の電子書籍データがダウンロードされる際のダウンロードプロセスにおける環境負荷量にデータ量及びダウンロード数を乗算し、その結果を各電子書籍におけるダウンロードプロセスの環境負荷量として算出する。
【００６９】
また、環境負荷算出部４６２は、電子書籍毎に、データ量、コンテンツの文字数及び使用言語に基づいて、１の電子書籍データが表示される際の一定期間における電子媒体環境負荷量を算出する。
【００７０】
なお、環境負荷算出部４６２は、通信端末装置１０を生産する際の原材料の調達段階、組み立てその他の生産段階や流通段階、及び、電子書籍データの生産段階や流通段階については、予め設定された環境負荷量を用いてもよいし、所定の演算によって算出してもよい。
【００７１】
削減量算出部４６３は、環境負荷算出部４６２によって算出された全コンテンツ（すなわち、電子書籍化されたタイトル）の紙媒体環境負荷量と電子媒体環境負荷量の差分を環境負荷削減量として算出し、算出した環境負荷削減量をＲＯＭ／ＲＡＭ４２０に記憶する。
【００７２】
情報提供部４６４は、管理者端末装置５０の要求に基づいて、算出した削減量に関する情報として、当該算出した削減量を所定のデータ方式に従ってレイアウトした報告書データを環境負荷削減情報として提供する。
なお、報告書データの形式は、任意であり、管理者端末装置５０による管理者の操作に基づいて設定することができるようになっている。
【００７３】
［４］情報通信システムの動作
次に、図３及び図４を用いて本実施形態の情報通信システム１のダウンロード管理処理を含む環境負荷削減算出提供処理の動作について説明する。なお、図３及び図４は、本実施形態の情報通信システム１のダウンロード管理処理を含む環境負荷削減算出提供処理の動作を示すフローチャートである。
【００７４】
本動作は、複数種類の電子書籍データが予めコンテンツ特性ＤＢ４３１に記憶されているものとし、一定時間毎（例えば１０秒毎）に実行する処理である。また、本動作は、当該一定時間毎にダウンロードされたダウンロードを確認し、当該電子書籍のダウンロードに関するダウンロード管理処理を実行する。
【００７５】
まず、データ処理部４６０は、タイマー４５０と連動し、現在時刻が環境負荷削減算出提供処理を実行するタイミングであるか否かを判定する（ステップＳ１０１）。
【００７６】
このとき、データ処理部４６０は、現在時刻が当該環境負荷削減算出提供処理を実行するタイミングであると判定した場合には、ステップＳ２０１の処理に移行して電子書籍毎に環境負荷削減算出提供処理を実行する。また、データ処理部４６０は、現在時刻が当該環境負荷削減算出提供処理を実行するタイミングでないと判定した場合には、ステップＳ１０２の処理に移行してダウンロード管理処理を実行する。
【００７７】
次いで、データ処理部４６０は、現在時刻が当該環境負荷削減算出提供処理を実行するタイミングでないと判定した場合には、通信制御部４１０と連動し、コンテンツ管理用サーバ装置３０に通信回線を確立し、電子書籍データのダウンロードに関する問い合わせを行う（ステップＳ１０２）。
【００７８】
次いで、データ処理部４６０は、コンテンツ管理用サーバ装置３０から当該問い合わせに対する回答に基づいて、通信端末装置１０よって電子書籍データのダウンロードが要求されて完了したか否かを確認する（ステップＳ１０３）。
【００７９】
このとき、データ処理部４６０は、通信端末装置１０よって電子書籍データのダウンロードが要求されて完了している旨を示す回答を受信した場合には、当該受信した回答に含まれるユーザＩＤ及び電子書籍ＩＤを特定するとともに（ステップＳ１０４）、特定したユーザＩＤ及び電子書籍ＩＤを現在時刻（日付けの情報も含む）に対応付けてコンテンツ管理ＤＢ４３３に記憶してダウンロード履歴情報及び当該電子書籍ＩＤのダウンロード数情報を更新し（ステップＳ１０５）、本動作を終了させる。
【００８０】
また、データ処理部４６０は、通信端末装置１０よって電子書籍データのダウンロードが要求されていない旨を示す回答を受信した場合には、そのまま本動作を終了させる。
【００８１】
一方、データ処理部４６０は、現在時刻が当該環境負荷削減算出提供処理を実行するタイミングであると判定した場合には、電子書籍ＩＤ毎のダウンロード数情報をコンテンツ管理ＤＢ４３３から取得する（ステップＳ２０１）。
【００８２】
次いで、データ処理部４６０は、電子書籍ＩＤ毎に紙媒体情報ＤＢ４３２から紙媒体環境負荷情報を取得し（ステップＳ２０２）、電子書籍毎のダウンロード数と紙媒体環境負荷情報とに基づいて、コンテンツがダウンロード数によって示された数の紙媒体として提供された場合の紙媒体環境負荷量を算出する（ステップＳ２０３）。
【００８３】
次いで、データ処理部４６０は、上述のように、電子書籍毎の電子媒体環境負荷情報、すなわち、データ化情報及びコンテンツの特性と、取得したダウンロード数と、を含む各種の環境負荷情報を取得しつつ（ステップＳ２０４）、当該取得した環境負荷情報に基づいて、電子書籍毎の電子媒体環境負荷量を演算する（ステップＳ２０５）。
【００８４】
次いで、データ処理部４６０は、電子書籍毎に、紙媒体環境負荷量と電子媒体環境負荷量との差分を削減量として算出しつつ、各電子書籍の削減量を合算して全体の削減量を算出し（ステップＳ２０６）、当該算出した各電子書籍の削減量及び全体の削減量を環境負荷削減情報としてコンテンツ管理ＤＢ４３３に登録して（ステップＳ２０７）本動作を終了させる。
【００８５】
なお、データ処理部４６０は、通信制御部４１０と連動し、管理者端末装置５０の指示に基づいて各電子書籍の削減量及び全体の削減量の少なくともいずれかの情報の取得要求を受信すると、取得用供された環境負荷削減情報を管理者端末装置５０に提供する。
【００８６】
［５］変形例
［５．１］変形例１
本実施形態のコンテンツ管理用サーバ装置３０は、コンテンツ特性ＤＢ４３１及びコンテンツ管理ＤＢ４３３を有し、単独でダウンロード管理処理を実行しつつ、電子書籍毎のダウンロード数その他のコンテンツ管理に用いるデータを記憶するようにしてもよい。この場合には、環境情報提供用サーバ装置４０は、環境負荷削減算出提供処理を実行する際に、コンテンツ管理用サーバ装置３０から各電子書籍に関するダウンロード数を取得するようになる。
【００８７】
［５．２］変形例２
本実施形態の環境情報提供用サーバ装置４０は、各ＤＢを管理、制御する構成としたが、各ＤＢの管理制御主体は、各々、別個なコンピュータシステムを用いるようにしてもよい。
【００８８】
また、本実施形態においては、コンテンツ管理用サーバ装置３０及び環境情報提供用サーバ装置４０を用いてダウンロード管理処理を含む環境負荷削減算出提供処理を実行しているが、３以上のサーバ装置又は単一のサーバ装置を用いて当該環境負荷削減算出提供処理を実現してもよい。
【００８９】
さらに本実施形態においては、ダウンロード管理処理と環境負荷削減算出提供処理とを連動させて実行しているが、ダウンロード管理処理と環境負荷削減算出提供処理とを連動させずに、個別に実行するようにしてもよい。
【００９０】
［５．３］変形例３
本実施形態のコンテンツ管理用サーバ装置３０及び環境情報提供用サーバ装置４０は、同一国内に設置されていてもよいし、国境を越えて別な国に設定されていてもよい。
【００９１】
［５．４］変形例４
本実施形態においては、コンテンツとして電子書籍を用いて説明したが、これに限らず、上述したように、電子雑誌、電子新聞、電子カタログ、電子チラシ等、画像や音の有無にかかわらず、テキストによって構成され、かつ、紙媒体よって提供可能なコンテンツに対して適用することができる。
【００９２】
［５．５］変形例５
本実施形態においては、環境負荷量としてＣＯ２などの温室効果ガスを用いて説明したが、ＣＯ２を含めた地球温暖化、都市域大気汚染、室内空気質汚染、有害化学物質、騒音、オゾン層破壊、光化学オキシダント、生態毒性、酸性化、富栄養化、廃棄物、土地利用、鉱物資源消費、化石燃料消費、森林資源消費などの環境に影響を与える環境負荷量を算出し、その差分を削減量として提供してもよい。
【００９３】
［５．６］変形例６
本実施形態においては、情報通信システム１に接続されるサーバ装置としてコンテンツ管理用サーバ装置３０と環境情報管理用サーバ装置４０を用いて説明したが、これらに加えて、電子書籍がダウンロードされる際に、タイトルの種類、ダウンロード数、及び、使用期間等に応じて実行する課金を管理する課金管理用サーバ装置を設けてもよい。
【００９４】
また、この場合には、サーバ装置が電子書籍のダウンロード数やダウンロード履歴の管理を行ってもよく、この場合には、環境情報提供用サーバ装置４０は、課金サーバ装置から各電子書籍のタイトルにおけるダウンロード数情報を取得するようになる。
【００９５】
なお、本実施形態の情報通信システム１において、課金サーバ装置を含めてコンテンツ管理用サーバ装置３０及び環境情報提供用サーバ装置４０の各機能を有する一台のサーバ装置によって上述の各動作を行うようにしてもよい。
【００９６】
［５．７］変形例７
本実施形態においては、紙媒体環境負荷情報として用紙の生成段階におけるＣＯ２などの温室効果ガスの排出量を用いて説明したが、これらに加えて、原稿作成、印刷版の作成および廃棄、使用するインク量、印刷機、用紙や印刷物を移送する物流などで消費されるエネルギーを用いてもよい。
【００９７】
また、本実施形態においては、電子媒体環境負荷情報としてデータ量、文字数、及び、使用言語を用いて説明したが、通信端末装置１０の製造や表示に要するエネルギー、電子書籍が雑誌やカタログのように画像データを多く含む場合には、画像データのデータ量、種類、及び、色数等を用いてもよい。
【００９８】
［５．８］変形例８
本実施形態においては、監視手段としてコンテンツ管理用サーバ装置３０に電子書籍データのダウンロードの問い合わせを行う例を説明したが、要求のあった通信端末装置１０への電子書籍データのダウンロードを終了した際に、コンテンツ管理用サーバ装置３０が、特定したユーザＩＤ及び電子書籍ＩＤを現在日時に対応付けたデータを、環境情報提供用サーバ装置４０に送信し、それをコンテンツ管理ＤＢ４３３に蓄積するようにしてもうよい。
【００９９】
以上、本実施形態の情報通信システム１においては、コンテンツが紙媒体で提供された場合に換算された環境負荷又は過去の実績における環境負荷と同一のコンテンツがデジタルデータによって電子書籍として提供された場合の環境負荷の各状況における環境負荷量を算出しつつ、その比較を行うことができるので、ＣＯ２に代表される温室効果ガスの排出量の削減など、個別具体的な生産品である紙媒体における環境負荷の削減に関する数値化した情報を、当該紙媒体における環境負荷の削減に対する評価の指標として、提供することができる。
【符号の説明】
【０１００】
１  …  情報通信システム
１０  …  通信端末装置
２０  …  ネットワーク
３０  …  コンテンツ管理用サーバ装置
４０  …  環境情報提供用サーバ装置
５０  …  管理者端末装置
３００  …  コンテンツＤＢ
４１０  …  通信制御部
４２０  …  ＲＯＭ／ＲＡＭ
４３０  …  データベース
４３１  …  コンテンツ特性ＤＢ
４３２  …  紙媒体情報ＤＢ
４３３  …  コンテンツ管理ＤＢ
４４０  …  サーバ管理制御部
４５０  …  タイマー
４６０  …  データ処理部
４６１  …  ＤＢ管理部
４６２  …  環境負荷算出部
４６３  …  削減量算出部
４６４  …  情報提供部
【図１】
2014241046.tif 000003
【図２】
2014241046.tif 000004
【図３】
2014241046.tif 000005
【図４】
2014241046.tif 000006